(57)【要約】【課題】集中管理装置とは通信プロトコルおよび命令コマンド体系が異なる制御系統に属する被制御装置が通信路を介して接続された場合でも、集中管理装置側で意識することがなく、同様に集中管理を可能とする。【解決手段】冷凍機アダプタ５は、冷凍機６Ａ１、６Ａ２に対し、制御パラメータを設定する設定コマンドを送信し、設定コマンドに対する被制御装置の応答を受信し、応答状態に基づいて制御パラメータの設定可否を判別し、設定可能な前記制御パラメータのうち、より所定の条件に合致する制御パラメータを記憶する。【選択図】図１
2008244522.tif 000002
【特許請求の範囲】
【請求項１】
集中管理装置と、前記集中管理装置とは通信プロトコルおよび命令コマンド体系が異なる制御系統に属する被制御装置との間の通信路に設けられる通信アダプタであって、
前記通信アダプタは、前記被制御装置に対し、当該被制御装置の制御パラメータを設定する設定コマンドを送信するコマンド送信部と、
前記設定コマンドに対する前記被制御装置の応答を受信する応答受信部と、
応答状態に基づいて前記制御パラメータの設定可否を判別する判別部と、
設定可能な前記制御パラメータのうち、より所定の条件に合致する前記制御パラメータを記憶するパラメータ記憶部と、
を備えたことを特徴とする通信アダプタ。
【請求項２】
請求項１記載の通信アダプタにおいて、
前記集中管理装置と前記被制御装置との間で、前記通信プロトコルおよび命令コマンド体系を変換するデータ変換部を備えたことを特徴とする通信アダプタ。
【請求項３】
請求項１または請求項２記載の通信アダプタにおいて、
前記コマンド送信部は、前記制御パラメータが上限値または下限値を有するものである場合に、当該制御パラメータの所定の初期値から順次上方の値または下方の値に前記制御パラメータを設定するための制御コマンドを送信することを特徴とする通信アダプタ。
【請求項４】
請求項１ないし請求項３のいずれかに記載の通信アダプタにおいて、
前記所定の条件は、消費電力がより小さくなる前記制御パラメータであることを特徴とする通信アダプタ。
【請求項５】
請求項１ないし請求項４のいずれかに記載の通信アダプタにおいて、
前記被制御装置は、圧縮機を備えた冷凍装置であり、
前記制御パラメータは、前記圧縮機の低圧値に関するパラメータであることを特徴とする通信アダプタ。
【請求項６】
集中管理装置と、前記集中管理装置により制御される被制御装置と、前記被制御装置のうち、少なくとも前記集中管理装置とは通信プロトコルおよび命令コマンド体系が異なる制御系統に属する被制御装置との間の通信路に設けられる通信アダプタと、を備えた集中管理システムであって、
前記通信アダプタは、前記集中管理装置の制御下で、前記被制御装置に対し、当該被制御装置の制御パラメータを設定する設定コマンドを送信するコマンド送信部と、
前記設定コマンドに対する前記被制御装置の応答を受信する応答受信部と、
応答状態に基づいて前記制御パラメータの設定可否を判別する判別部と、
設定可能な前記制御パラメータのうち、より所定の条件に合致する前記制御パラメータを記憶するパラメータ記憶部と、
を備えたことを特徴とする集中管理システム。
【請求項７】
集中管理装置と、前記集中管理装置とは通信プロトコルおよび命令コマンド体系が異なる制御系統に属する被制御装置との間の通信路に設けられる通信アダプタの制御方法であって、
前記被制御装置に対し、当該被制御装置の制御パラメータを設定する設定コマンドを送信するコマンド送信過程と、
前記設定コマンドに対する前記被制御装置の応答を受信する応答受信過程と、
応答状態に基づいて前記制御パラメータの設定可否を判別する判別過程と、
設定可能な前記制御パラメータのうち、より所定の条件に合致する前記制御パラメータを記憶するパラメータ記憶過程と、
を備えたことを特徴とする通信アダプタの制御方法。
【請求項８】
集中管理装置と、前記集中管理装置とは通信プロトコルおよび命令コマンド体系が異なる制御系統に属する被制御装置との間の通信路に設けられる通信アダプタをコンピュータにより制御するための制御プログラムであって、
前記被制御装置に対し、当該被制御装置の制御パラメータを設定する設定コマンドを送信させ、
前記設定コマンドに対する前記被制御装置の応答を受信させ、
応答状態に基づいて前記制御パラメータの設定可否を判別させ、
設定可能な前記制御パラメータのうち、より所定の条件に合致する前記制御パラメータを記憶させる、
ことを特徴とする制御プログラム。
【発明の詳細な説明】
【技術分野】
【０００１】
本発明は、通信アダプタ、集中管理システム、通信アダプタの制御方法および制御プログラムに係り、特に集中管理を行う冷凍システムに用いられる通信アダプタ、集中管理システム、通信アダプタの制御方法および制御プログラムに関する。
【背景技術】
【０００２】
冷凍設備機器を集中制御する集中管理装置（コントローラ）は、多数の冷凍設備機器に対してそれぞれの運転に必要な設定値を一括設定して、各冷凍設備機器の運転制御を行うものである（例えば、特許文献１参照）。
例えば、店舗の冷凍集中管理システムにおいて、省エネ制御などを行う目的のため、集中管理装置と、ショーケースおよび冷凍機を接続し、冷凍機の圧縮機の冷媒吐出圧力の最適制御を行っている。
より詳細には、省エネの目的のため、圧縮機の低圧側の値（以下、低圧値という。）を制御している。
【特許文献１】特開平１−２９１０８５号公報
【発明の開示】
【発明が解決しようとする課題】
【０００３】
ところで、このような省エネ制御を行うためには、冷凍機の制御パラメータを厳密に制御する必要があり、従来においては、集中管理装置と通信プロトコルおよび命令コマンド体系が同一の冷凍機しか対応することができないという問題点があった。
そこで、本発明の目的は、集中管理装置とは通信プロトコルおよび命令コマンド体系が異なる制御系統に属する被制御装置が通信路を介して接続された場合でも、集中管理装置側で意識することがなく、同様に集中管理を可能とする通信アダプタ、集中管理システム、通信アダプタの制御方法および制御プログラムを提供することにある。
【課題を解決するための手段】
【０００４】
上記課題を解決するため、集中管理装置と、前記集中管理装置とは通信プロトコルおよび命令コマンド体系が異なる制御系統に属する被制御装置との間の通信路に設けられる通信アダプタであって、前記通信アダプタは、前記被制御装置に対し、当該被制御装置の制御パラメータを設定する設定コマンドを送信するコマンド送信部と、前記設定コマンドに対する前記被制御装置の応答を受信する応答受信部と、応答状態に基づいて前記制御パラメータの設定可否を判別する判別部と、設定可能な前記制御パラメータのうち、より所定の条件に合致する前記制御パラメータを記憶するパラメータ記憶部と、を備えたことを特徴としている。
上記構成によれば、通信アダプタのコマンド送信部は、被制御装置に対し、当該被制御装置の制御パラメータを設定する設定コマンドを送信する。
応答受信部は、設定コマンドに対する被制御装置の応答を受信する。
これらの結果、判別部は、被制御装置の応答状態に基づいて制御パラメータの設定可否を判別し、パラメータ記憶部は、設定可能な前記制御パラメータのうち、より所定の条件に合致する制御パラメータを記憶する。
【０００５】
この場合において、前記集中管理装置と前記被制御装置との間で、前記通信プロトコルおよび命令コマンド体系を変換するデータ変換部を備えるようにしてもよい。
また、前記コマンド送信部は、前記制御パラメータが上限値または下限値を有するものである場合に、当該制御パラメータの所定の初期値から順次上方の値または下方の値に前記制御パラメータを設定するための制御コマンドを送信するようにしてもよい。
また、前記所定の条件は、消費電力がより小さくなる前記制御パラメータであるようにしてもよい。
また、前記被制御装置は、圧縮機を備えた冷凍装置であり、前記制御パラメータは、前記圧縮機の低圧値に関するパラメータであるようにしてもよい。
【０００６】
また、集中管理装置と、前記集中管理装置により制御される被制御装置と、前記被制御装置のうち、少なくとも前記集中管理装置とは通信プロトコルおよび命令コマンド体系が異なる制御系統に属する被制御装置との間の通信路に設けられる通信アダプタと、を備えた集中管理システムであって、前記通信アダプタは、前記集中管理装置の制御下で、前記被制御装置に対し、当該被制御装置の制御パラメータを設定する設定コマンドを送信するコマンド送信部と、前記設定コマンドに対する前記被制御装置の応答を受信する応答受信部と、応答状態に基づいて前記制御パラメータの設定可否を判別する判別部と、設定可能な前記制御パラメータのうち、より所定の条件に合致する前記制御パラメータを記憶するパラメータ記憶部と、を備えたことを特徴としている。
【０００７】
また、集中管理装置と、前記集中管理装置とは通信プロトコルおよび命令コマンド体系が異なる制御系統に属する被制御装置との間の通信路に設けられる通信アダプタの制御方法であって、前記被制御装置に対し、当該被制御装置の制御パラメータを設定する設定コマンドを送信するコマンド送信過程と、前記設定コマンドに対する前記被制御装置の応答を受信する応答受信過程と、応答状態に基づいて前記制御パラメータの設定可否を判別する判別過程と、設定可能な前記制御パラメータのうち、より所定の条件に合致する前記制御パラメータを記憶するパラメータ記憶過程と、を備えたことを特徴としている。
【０００８】
また、集中管理装置と、前記集中管理装置とは通信プロトコルおよび命令コマンド体系が異なる制御系統に属する被制御装置との間の通信路に設けられる通信アダプタをコンピュータにより制御するための制御プログラムであって、前記被制御装置に対し、当該被制御装置の制御パラメータを設定する設定コマンドを送信させ、前記設定コマンドに対する前記被制御装置の応答を受信させ、応答状態に基づいて前記制御パラメータの設定可否を判別させ、設定可能な前記制御パラメータのうち、より所定の条件に合致する前記制御パラメータを記憶させる、ことを特徴としている。
この場合において、制御プログラムをコンピュータ読取可能な記録媒体に記録するようにしても良い。
【発明の効果】
【０００９】
本発明によれば、集中管理装置に当該集中管理装置とは通信プロトコルおよび命令コマンド体系が異なる制御系統に属する被制御装置が接続される場合でも、集中管理装置側では、それを意識することなく、当該集中管理装置とは通信プロトコルおよび命令コマンド体系が同一の被制御装置と同様に制御することができる。
【発明を実施するための最良の形態】
【００１０】
次に、本発明の好適な実施形態について、図面を参照して説明する。
図１は、実施形態の冷凍装置の集中管理システム構成図である。
集中管理装置システム１００は、スーパーマーケットなどの店舗チェーンの管理センタに設置され、パーソナルコンピュータとして構成される中央管理装置１と、店舗チェーンに属する各店舗に設置され、マイクロコンピュータとして構成された主制御装置（集中管理装置）２と、各店舗において冷凍装置の系統毎の制御を行う系統制御装置３Ａ、３Ｂと、系統制御装置３Ａの系統に属するショーケース４Ａ〜４Ｃ、冷凍機アダプタ５（通信アダプタ）および冷凍機６Ａ１、６Ａ２と、系統制御装置３Ｂの系統に属するショーケース４Ｄ〜４Ｆおよび冷凍機６Ｂ１、６Ｂ２と、を備えている。
ここで、ショーケース４Ａ〜４Ｆ、冷凍機６Ａ１、６Ａ２および冷凍機６Ｂ１、６Ｂ２は、図示しない端末側制御装置を備えている。
また、冷凍機６Ａ１と、冷凍機６Ａ２とは、同一の制御系統に属し、冷凍機６Ｂ１と冷凍機６Ｂ２とは、冷凍機６Ａ１、６Ａ２とは異なる制御系統、かつ、同一の制御系統に属している。
【００１１】
ここで、同一の制御系統に属するとは、通信プロトコルおよび命令コマンド体系が同一である制御系統に属していることをいう。本実施形態では、冷凍機６Ａ１、６Ａ２は、主制御装置２が用いている通信プロトコルおよび命令コマンド体系とは異なる通信プロトコルおよび命令コマンド体系を用いており、冷凍機６Ｂ１、６Ｂ２は、主制御装置２が用いている通信プロトコルおよび命令コマンド体系と同一の通信プロトコルおよび命令コマンド体系を用いている。このような状況が生じる最も顕著な例としては、冷凍機６Ａ１、６Ａ２と、冷凍機６Ｂ１、６Ｂ２とが異なる装置メーカにより製造されているような場合である。
また、冷凍機６Ａ１、６Ａ２、６Ｂ１、６Ｂ２には、それぞれ対応する冷凍機の消費電力を計測するための電力量計Ｗが設けられている。
【００１２】
図２は、中央管理装置の概要構成ブロック図である。
中央管理装置１は、当該中央管理装置１全体を制御するマイクロコンピュータ７と、このマイクロコンピュータ７に接続され、各種情報を記憶するハードディスク（外部記憶装置）８と、マイクロコンピュータ７に接続され、制御プログラムを記憶するＲＯＭ９と、マイクロコンピュータ７に接続され、各種データを一時的に記憶するＲＡＭ１１と、リムーバル記憶媒体であるフレキシブルディスク、光ディスクなどに対するデータの読み書きを行うディスクドライブ１２と、主制御装置２との間の通信を行う通信インタフェース部１３と、外部出力機器との間のインタフェース動作を行う出力インタフェース部１４と、外部入力機器との間のインタフェース動作を行う入力インタフェース部１６と、を備えている。
【００１３】
ここで、ハードディスク８には、中央管理装置１自体の制御プログラムの他、主制御装置２から送られてくる各種データや、後述するショーケース４Ａ〜４Ｆ等の設置形態（ケースレイアウト）に関するデータ、更には各種運転条件に関するデータ及び通信プロトコル等が保存されている。
通信インタフェース部１３は、例えば、シリアルインターフェースにより構成され、前述の主制御装置２と通信線１７を介して接続されている。
出力インタフェース部１４は、外部出力機器としてのプリンタ１８やディスプレイ１９が接続されている。
入力インタフェース部１６は、外部入力機器としてのキーボード２１やマウス２２が接続される。
【００１４】
図３は、主制御装置の概要構成ブロック図である。
主制御装置２は、図３に示すように、当該主制御装置２全体を制御するマイクロコンピュータ２４と、このマイクロコンピュータ２４に接続されたＲＯＭ２６およびＲＡＭ２７と、通信インタフェース部２８、２９、出力インタフェース部３１及び入力インタフェース部３２と、マイクロコンピュータ２４に接続されたＥＥＰＲＯＭ４０と、を備えて構成される。
ＲＯＭ２６は、通信プロトコルや主制御装置２自体の制御プログラムを記憶している。
ＲＡＭ２７は、外部装置から送られてくる各種データや外部装置へ送る各種データ、主制御装置２自体の制御データ（例えば、後述する液晶表示部３４の表示データ等）が一時的に記憶される。
【００１５】
通信インタフェース部２８、２９は、例えば、シリアルインターフェースとして構成されている。ここで、通信インタフェース部２８は、中央管理装置１に通信線１７を介して接続され、通信インタフェース部２９は、端末側制御装置と通信線３３Ａを介して接続されている。さらに通信インタフェース部２９は、たとえば、６個の通信ポートを有しており、それによって最大６系統の端末側制御装置が接続可能とされている。
出力インタフェース部３１には、液晶表示部３４およびブザー３６が接続されている。
【００１６】
入力インタフェース部３２には、キースイッチ３７やディップスイッチ３８及びスライドスイッチ３９が接続されている。
キースイッチ３７は、後述する各種設定及び表示指令を行うためのスイッチである。
ディップスイッチ３８は、各種状態を設定するためのスイッチである。
また、スライドスイッチ３９は、後述するショーケース４Ａ〜４Ｆ等の照明制御や夜間停止に関する設定を行うスイッチである。
ＥＥＰＲＯＭ４０は、ショーケース４Ａ〜４Ｆ等の各種設定及び設置状態に関するデータが保存されて電源が断たれたときにも保持される。
【００１７】
図４は、系統制御装置の概要構成ブロック図である。
系統制御装置３Ａ、３Ｂは、図４に示すように、当該系統制御装置３Ａ、３Ｂ全体を制御するマイクロコンピュータ４１と、このマイクロコンピュータ４１に接続されたＲＯＭ４２、ＲＡＭ４３、ＥＥＰＲＯＭ４５と、通信インタフェース部４４、４６、出力インタフェース部４７及び入力インタフェース部４８と、を備えている。
【００１８】
ＲＯＭ４２は、通信プロトコルや系統制御装置３Ａ、３Ｂ自体の制御プログラムを記憶している。
ＲＡＭ４３は、端末側制御装置から送られてくる各種データや、主制御装置２から送られてくるショーケース４Ａ〜４Ｆ等の各種運転条件に関するデータが保存される。
通信インタフェース部４４、４６は、シリアルインターフェースにより構成され、通信インタフェース部４４は、主制御装置２に接続され、通信インタフェース部４６はショーケース４Ａ〜４Ｆ、冷凍機アダプタ５および冷凍機６Ｂ１、６Ｂ２と通信線３３を介して接続されている。
【００１９】
ＥＥＰＲＯＭ４５は、主制御装置２から送られたショーケース４Ａ〜４Ｆ等の各種運転条件の設定データが保存されており、電源が断たれても保持される。
出力インタフェース部４７は、警報表示を行うＬＥＤ表示部５１が接続されている。
入力インタフェース部４８は、ディップスイッチ５２との間のインタフェース動作を行う。
ＬＥＤ表示部５１は、警報表示や運転モニタ表示を行う。
ディップスイッチ５２は、ショーケース４Ａ〜４Ｆ等の制御のために割り付けられるチャンネルの使用・未使用及びそれ自体のＡ〜Ｅまでのチャンネルナンバーを設定し、あるいは、ＬＥＤ表示部５１を警報表示と、運転モニタ表示との間で切り換えるための設定を行う。
【００２０】
図５は、冷凍機アダプタの概要構成ブロック図である。
冷凍機アダプタ５は、大別すると、冷凍機アダプタ５全体を制御するためのマイクロコンピュータ６１と、各種データを一時的に格納するＳＲＡＭ６２と、制御プログラムなどの各種データを更新可能に不揮発的に記憶するＥＥＰＲＯＭ６３と、各種設定を行うためのディップスイッチ６４と、状態表示などを各種表示を行うためのＬＥＤ表示部６５と、通信端子Ｔ１を有し、系統制御装置３Ａとの間でインタフェース動作を行う通信インタフェース部６６と、通信端子Ｔ２を有し、制御対象である冷凍機６Ａ１、６Ａ２との間でインタフェース動作を行う通信インタフェース部６７と、を備えている。
【００２１】
マイクロコンピュータ６１は、集中管理用の共通データ（制御データ）を記憶する共通データ保存メモリ７１と、系統制御装置３Ａ側に対する通信プロトコル制御を行う通信プロトコル処理部７２と、共通データ保存メモリ７１に格納されている共通データを第１の通信プロトコルおよび第１の命令コマンド体系を有する第１冷凍機用制御データに変換する第１データ変換処理部７３と、第１データ変換処理部７３で変換された第１冷凍機用制御データを通信インタフェース部６７を介して第１の通信プロトコルを用いて通信するために処理を行う第１通信プロトコル処理部７４と、共通データ保存メモリ７１に格納されている共通データを第２の通信プロトコルおよび第２の命令コマンド体系を有する第２冷凍機用制御データに変換する第２変換処理部７５と、第２変換処理部７５で変換された第２冷凍機用制御データを通信インタフェース部６７を介して第２の通信プロトコルを用いて通信するために処理を行う第２通信プロトコル処理部７６と、を備えている。
通信インタフェース部６６は、通信端子Ｔ１および通信線３３Ａを介して系統制御装置３Ａと接続されている。
通信インタフェース部６７は、通信端子Ｔ２および通信線３３Ｂを介して冷凍機６Ａ１、６Ａ２と接続されている。
【００２２】
次に実施形態の具体的動作について説明する。
以下においては、冷凍機６Ａ１、６Ａ２は、第１の通信プロトコルおよび第１の命令コマンド体系を有するものとして説明する。
図６は、複数の制御系の異なる冷凍機が接続された冷凍システムにおける各冷凍機の圧縮機の低圧値（低圧側設定値）の変更時の冷凍機アダプタのメインフローチャートである。
まず、冷凍機アダプタ５は、冷凍機の低圧値の設定可能範囲を自動認識する処理を行う（ステップＳ１００）。
図７は、冷凍機アダプタにおける冷凍機の低圧値の設定可能範囲の自動認識処理の処理フローチャートである。この場合において、低圧値の初期値については、全ての冷凍機で共通の値があらかじめ設定されているものとする。
まず、冷凍機アダプタ５のマイクロコンピュータ６１は、系統制御装置３Ａを介して、主制御装置２から冷凍機の低圧値の設定可能範囲の自動認識処理が指示されると低圧値を初期値から値が大きくなる方向に最小設定単位で変更する変更指示を行う（ステップＳ１０１）。
【００２３】
ここで、上記変更指示の送信を例として冷凍機アダプタ５の動作について詳細に説明する。
冷凍機アダプタ５のマイクロコンピュータ６１は、共通データ保存メモリ７１から、変更コマンドに対応する集中管理用の共通データ（制御データ）を読み出す。
そして、読み出した変更コマンドに対応する集中管理用の共通データを第１データ変換処理部７３に出力する。
これにより第１データ変換処理部７３は、入力された共通データを第１の通信プロトコルおよび第１の命令コマンド体系を有する第１冷凍機用制御データに変換して、第１通信プロトコル処理部７４に出力する。
第１通信プロトコル処理部７４は、第１データ変換処理部７３で変換された第１冷凍機用制御データを第１の通信プロトコルを用いて通信するために処理を行い、通信インタフェース部６７を介して、例えば、冷凍機６Ａ１に送信する。
この結果、冷凍機６Ａ１は、受信した低圧値の変更指示コマンドに対応する低圧値の設定の可否について通信線３３Ｂを介して冷凍機アダプタ５に応答することとなる。
【００２４】
ここで、上記変更指示に対する応答を例として冷凍機アダプタ５の動作について詳細に説明する。
通信線３３Ｂおよび通信インタフェース部６７を介して、冷凍機６Ａ１から変更指示に対する応答送信がなされると、第１通信プロトコル処理部７４は、応答送信を解析し、第１データ変換処理部７３に出力する。
第１データ変換処理部７３は、共通データ保存メモリ７１を参照して、入力された第１の通信プロトコルおよび第１の命令コマンド体系を有する第１冷凍機用制御データを共通データに変換する。
これにより、冷凍機アダプタ５のマイクロコンピュータ６１は、ステップＳ１０１の変更指示に対し、対応する冷凍機６Ａ１からの応答に基づいて設定が不可であるか否かを判別する（ステップＳ１０２）。
ステップＳ１０２の判別において、設定可能である場合には、マイクロコンピュータ６１は、再び処理をステップＳ１０１に移行し、同様の処理を行う。
ステップＳ１０２の判別において、設定不可である場合には、マイクロコンピュータ６１は、設定可能であった最大の低圧値設定値を低圧上限値としてＥＥＰＲＯＭ６３に保存する（ステップＳ１０３）。
【００２５】
つぎに、マイクロコンピュータ６１は、上述したのと同様の手順で低圧値を初期値から値が小さくなる方向に最小設定単位で変更する変更指示を冷凍機６Ａ１に対して行う（ステップＳ１０４）。
つづいてマイクロコンピュータ６１は、上述したのと同様の手順で、ステップＳ１０４の変更指示に対し、対応する冷凍機６Ａ１からの応答に基づいて設定が不可であるか否かを判別する（ステップＳ１０５）。
ステップＳ１０５の判別において、設定可能である場合には、マイクロコンピュータ６１は、再び処理をステップＳ１０１に移行し、同様の処理を行う。
ステップＳ１０５の判別において、設定不可である場合には、マイクロコンピュータ６１は、設定可能であった最小の低圧値設定値を低圧下限値としてＥＥＰＲＯＭ６３に保存し（ステップＳ１０６）、処理をメイン処理に移行する。
【００２６】
図８は、冷凍機アダプタにおける冷凍機の低圧値の設定変更幅自動認識処理の処理フローチャートである。
次にマイクロコンピュータ６１は、冷凍機６Ａ１の低圧値の設定変更幅を自動認識する処理を行う（ステップＳ２００）。
まず、マイクロコンピュータ６１は、通信インタフェース部６７を介して冷凍機６Ａ１の低圧値をステップＳ１０３で保存した低圧上限値に設定する（ステップＳ２０１）。
次にマイクロコンピュータ６１は、冷凍機６Ａ１における低圧値の設定変更幅を、ステップＳ１０３で保存した低圧上限値からステップＳ１０６で保存した低圧下限値を差し引いた値に設定する（ステップＳ２０２）。
つづいてマイクロコンピュータ６１は、上述したのと同様の手順で低圧値を低圧上限値からステップＳ２０２で設定した設定変更幅値とする変更指示を冷凍機６Ａ１に対して行う（ステップＳ２０３）。
つづいてマイクロコンピュータ６１は、ステップＳ２０３の変更指示に対し、対応する冷凍機６Ａ１からの応答に基づいて設定が不可であるか否かを判別する（ステップＳ２０４）。
【００２７】
ステップＳ２０４の判別において、設定不可である場合には、マイクロコンピュータ６１は、現在の設定変更幅値をあらかじめ定めた最小単位分減少させて新たな設定変更幅値とし（ステップＳ２０５）、再び処理をステップＳ２０３に移行し、同様の処理を行う。
ステップＳ２０４の判別において、設定可能である場合には、マイクロコンピュータ６１は、設定可能であった設定変更幅値を最大設定変更幅値としてＥＥＰＲＯＭ６３に保存し（ステップＳ２０６）、処理をメイン処理に移行する。
【００２８】
図９は、冷凍機アダプタにおける冷凍機の低圧値の最適化処理の処理フローチャートである。
次に冷凍機の低圧値の最適化処理を行う（ステップＳ３００）。
まず、マイクロコンピュータ６１は、上述したのと同様の手順で冷凍機６Ａ１の低圧値をステップＳ１０６で保存した低圧下限値に設定する（ステップＳ３０１）。
次に、マイクロコンピュータ６１は、冷凍機６Ａ１から消費電力を取得する（ステップＳ３０２）。具体的には、冷凍機６Ａ１に設けられている電力量計Ｗにより消費電力を計測し、計測結果を通知させる。
そして、マイクロコンピュータ６１は、現在の低圧値を、所定値大きな値として新たに設定する（ステップＳ３０３）。
【００２９】
次に、マイクロコンピュータ６１は、設定変更後の冷凍機６Ａ１の消費電力を取得する（ステップＳ３０４）。
つづいて、マイクロコンピュータ６１は、設定変更前後の冷凍機６Ａ１の消費電力を比較する（ステップＳ３０５）。
ステップＳ３０５の比較において、設定変更前の消費電力が設定後の消費電力よりも大きく、その差が所定のしきい値を超えている場合には、マイクロコンピュータ６１は、処理をステップＳ３０３に移行し、以下、同様の処理を繰り返す。
【００３０】
ステップＳ３０５の比較において、設定変更前後で消費電力がほぼ等しく、その差が所定のしきい値以下となった場合には、マイクロコンピュータ６１は、設定変更後の値を当該冷凍機６Ａ１の最適値であるとして当該低圧値をＥＥＰＲＯＭ６３に保存し（ステップＳ２０６）、処理をメイン処理に移行する。
これにより、マイクロコンピュータ６１は、次に冷凍機６Ａ２に対しても同様の処理（ステップＳ１００、Ｓ２００、Ｓ３００）を行って処理を終了することとなる。
【００３１】
以上の説明のように、本実施形態によれば、冷凍機アダプタ５は、自動的に被制御装置である冷凍機６Ａ１、６Ａ２の低圧値（上限値、下限値、設定変更幅および最適値）を時自動的に取得し、以降の制御に用いることが可能となる。
したがって、主制御装置２および系統制御装置３Ａは、接続された冷凍装置の通信プロトコルおよび命令コマンド体系を意識することなく、集中管理を行うことができる。換言すれば、冷凍機アダプタが対応可能な通信プロトコルおよび命令コマンド体系に属する冷凍装置であれば、自己と異なる通信プロトコルおよび命令コマンド体系に属する冷凍装置であっても集中制御が可能となる。
【００３２】
以上の説明においては、制御パラメータとして、圧縮機の低圧値の場合について説明したが、他の制御パラメータであっても同様に自動的に設定して集中制御を行えるようにすることが可能である。
以上の説明においては、冷凍機アダプタ５に同一の通信プロトコルおよび命令コマンド体系に属する冷凍機６Ａ１，６Ａ２が接続されている場合について述べたが、冷凍機アダプタ５が対応可能な通信プロトコルおよび命令コマンド体系に属する冷凍装置であれば、異なる通信プロトコルおよび命令コマンド体系に属する複数の冷凍機が同一の通信線に接続されている場合であっても制御が可能である。
【００３３】
以上の説明においては、上記各機能を実現するための制御プログラムが、ＥＥＰＲＯＭ６３に格納されている場合について説明したが、制御プログラムを、コンピュータ（ＣＰＵ）読取可能な記録媒体に記録し、例えば、通信インタフェース部６６を介して読み取り、読み取られたプログラムに従ってマイクロコンピュータが処理を実行すると、上記各実施形態と同等の作用および効果が得られる。
【００３４】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、どのような記憶媒体であってもよい。
また、インターネット、ＬＡＮなどの通信ネットワークを介して制御用プログラムをダウンロードし、インストールして実行するように構成することも可能である。
【図面の簡単な説明】
【００３５】
【図１】実施形態の冷凍装置の集中管理システム構成図である。
【図２】中央管理装置の概要構成ブロック図である。
【図３】主制御装置の概要構成ブロック図である。
【図４】系統制御装置の概要構成ブロック図である。
【図５】冷凍機アダプタの概要構成ブロック図である。
【図６】複数の制御系の異なる冷凍機が接続された冷凍システムにおける各冷凍機の圧縮機の低圧値（低圧側設定値）の変更時の冷凍機アダプタのメインフローチャートである。
【図７】冷凍機アダプタにおける冷凍機の低圧値の設定可能範囲の自動認識処理の処理フローチャートである。
【図８】冷凍機アダプタにおける冷凍機の低圧値の設定変更幅自動認識処理の処理フローチャートである。
【図９】冷凍機アダプタにおける冷凍機の低圧値の最適化処理の処理フローチャートである。
【符号の説明】
【００３６】
１  中央管理装置
２  主制御装置
３Ａ、３Ｂ  系統制御装置
４Ａ〜４Ｆ  ショーケース
５  冷凍機アダプタ（通信アダプタ）
６Ａ１、６Ａ２  冷凍機
６Ｂ１、６Ｂ２  冷凍機
６１  マイクロコンピュータ
６２  ＳＲＡＭ
６３  ＥＥＰＲＯＭ
６４  ディップスイッチ
６５  ＬＥＤ表示部
６６  通信インタフェース部
６７  通信インタフェース部
７１  共通データ保存メモリ
７２  通信プロトコル処理部
７３  第１データ変換処理部
７４  第１通信プロトコル処理部
７５  第２変換処理部
７６  第２通信プロトコル処理部
１００  集中管理装置システム
Ｗ  電力量計
【図１】
2008244522.tif 000003
【図２】
2008244522.tif 000004
【図３】
2008244522.tif 000005
【図４】
2008244522.tif 000006
【図５】
2008244522.tif 000007
【図６】
2008244522.tif 000008
【図７】
2008244522.tif 000009
【図８】
2008244522.tif 000010
【図９】
2008244522.tif 000011